(57)【要約】【課題】例えばドーナツやパンのような食料品の自動販売機で、賞味期限の設定された商品において、賞味期限の近いものから順に販売するといった細かな販売管理には至っていない。【解決手段】商品を配置する棚６ごとに設置されて、商品１０に添付された無線ＩＣタグ１１の情報を読み取る読取手段２と、前記読取手段２から情報を受け解析および制御を行う制御手段３と、商品を客に提供する商品提供手段７と、日時を発生する時計手段４を具備し、制御手段３は無線ＩＣタグ１１の情報に含まれた商品１０の賞味期限に関する情報と時計手段４から取得した日時を比較し、同一商品の中から賞味期限が最も近い商品から順に商品提供手段７にて販売していくようにした。【選択図】図１
2006221223.tif 000002
【特許請求の範囲】
【請求項１】
商品を配置する棚と、前記棚ごとに設置されて、商品に添付された無線ＩＣタグの情報を読み取る読取手段と、前記読取手段から情報を受け解析および制御を行う制御手段と、商品を客に提供する商品提供手段と、日時を発生する時計手段を具備し、前記制御手段は前記無線ＩＣタグの情報に含まれた前記商品の賞味期限に関する情報と前記時計手段から取得した日時とを比較し、同一商品の中から賞味期限が最も近い商品から順に前記商品提供手段にて販売していくことを特徴とする自動販売機。
【請求項２】
制御手段は無線ＩＣタグの情報に基づいてネットワーク経由で情報サーバに蓄積された第２の情報を取得し、前記第２の情報に商品の賞味期限に関する情報が含まれていることを特徴とする請求項１記載の自動販売機。
【請求項３】
表示手段を具備し、賞味期限が切れた商品が存在する場合には、制御手段が前記表示手段で販売できないことを報知する、または、制御手段が前記商品提供手段を作動させずに商品の販売を中止することを特徴とする請求項１または請求項２記載の自動販売機。
【請求項４】
賞味期限が切れた商品が存在する場合、制御手段がネットワーク上の販売管理端末に報知することを特徴とする請求項１または請求項２または請求項３記載の自動販売機。
【請求項５】
電磁波遮断材で前記棚を構成したことを特徴とする請求項１または請求項２または請求項３記載の自動販売機。
【請求項６】
通信距離が近接する他の棚まで達しない読取手段を設置したことを特徴とする請求項１または請求項２または請求項３記載の自動販売機。
【請求項７】
請求項１〜４のいずれか記載の自動販売機において少なくともひとつの機能をコンピュータに実行させるためのプログラム。
【発明の詳細な説明】
【技術分野】
【０００１】
本発明は、無線ＩＣタグを利用した自動販売機、および、そのプログラムに関するものである。
【背景技術】
【０００２】
自動販売機は街のいたるところに設置されており、最近では売上高情報について、ネットワークを介して把握できる高度な自動販売機も考案されている（例えば特許文献１を参照）。また一方で、流通革命を目指して無線ＩＣタグが商品に添付されつつあり、商品には無線ＩＣタグが添付されているのが当たり前という状況に近づきつつある。
【特許文献１】特開２００３−１９６７１５号公報
【発明の開示】
【発明が解決しようとする課題】
【０００３】
しかしながら、高度な機能を有した自動販売機でも現時点では最も基本的な課題を抱えており、例えばドーナツやパンのような食料品で、賞味期限の設定された商品において、賞味期限の近いものから順に販売するといった細かな販売管理には至っていない。
【課題を解決するための手段】
【０００４】
そこで、前記の課題を解決するために、本発明の自動販売機および、そのプログラムは、商品を配置する棚と、前記棚ごとに設置されて、商品に添付された無線ＩＣタグの情報を読み取る読取手段と、前記読取手段から情報を受け解析および制御を行う制御手段と、商品を客に提供する商品提供手段と、日時を発生する時計手段を具備し、前記制御手段は前記無線ＩＣタグの情報に含まれた前記商品の賞味期限に関する情報と前記時計手段から取得した日時を比較し、同一商品の中から賞味期限が最も近い商品から順に前記商品提供手段にて販売していくようにした。
【発明の効果】
【０００５】
これにより、例えばドーナツやパンのような食料品で、賞味期限の設定された商品において、賞味期限の近いものから順に販売するといった細かな販売管理機能を有した、販売者にとって有利な自動販売機を提供することができる。
【発明を実施するための最良の形態】
【０００６】
第１の発明は、商品を配置する棚と、前記棚ごとに設置されて、商品に添付された無線ＩＣタグの情報を読み取る読取手段と、前記読取手段から情報を受け解析および制御を行う制御手段と、商品を客に提供する商品提供手段と、日時を発生する時計手段を具備し、前記制御手段は前記無線ＩＣタグの情報に含まれた前記商品の賞味期限に関する情報と前記時計手段から取得した日時を比較し、同一商品の中から賞味期限が最も近い商品から順に前記商品提供手段にて販売していくようにした。
【０００７】
これにより、例えばドーナツやパンのような食料品で、賞味期限の設定された商品において、賞味期限の近いものから順に販売するといった細かな販売管理機能を有した、販売者にとって有利な自動販売機を提供することができる。
【０００８】
第２の発明は、特に第１の発明の自動販売機において、制御手段は無線ＩＣタグの情報に基づいてネットワーク経由で情報サーバに蓄積された第２の情報を取得し、前記第２の情報に商品の賞味期限に関する情報が含まれているようにした。
【０００９】
これにより、無線ＩＣタグの情報に商品の賞味期限に関する情報が含まれておらず、単なるコード番号のような情報しか含まれない場合でも、この情報（コード番号）を元にネットワーク上の情報サーバにアクセスして、商品の賞味期限を含む第２の情報を取得するので、このような場合でも第１の発明と同様の効果を得ることが出来る。
【００１０】
第３の発明は、特に第１または第２の発明の自動販売機において、表示手段を具備し、賞味期限が切れた商品が存在する場合には、制御手段が前記表示手段で販売できないことを報知する、または、制御手段が前記商品提供手段を作動させずに商品の販売を中止するようにした。
【００１１】
これにより、賞味期限の切れた商品を誤って販売してしまうというとトラブルを回避するとともに、客に状況を伝えることができる。
【００１２】
第４の発明は、特に第１または第２または第３の発明の自動販売機において、賞味期限が切れた商品が存在する場合、制御手段がネットワーク上の販売管理端末に報知するようにした。
【００１３】
これにより、賞味期限の切れた商品が存在して、販売中止になった場合でも販売管理者に情報が伝えられるので、正しい商品への入れ替えに迅速な対応を取れるようになる。
【００１４】
第５の発明は、特に第１または第２または第３の発明の自動販売機において、電磁波遮断材で棚を構成した。
【００１５】
これにより、棚ごとに電磁的に分離できるので、読取手段が例えば隣の棚から異なる銘柄の商品に添付された無線ＩＣタグの情報を間違って読み出してしまうというようなトラブルを回避することが出来る。
【００１６】
第６の発明は、特に第１または第２または第３の発明の自動販売機において、通信距離が近接する他の棚まで達しない読取手段を設置するようにした。
【００１７】
これにより、特別な電磁波遮断対策をしなくても近接する棚に置かれた別の商品の無線ＩＣタグを誤って読み取ってしまうことがなくなり、シンプルな構成になる。
【００１８】
第７の発明は、第１〜４の発明の自動販売機において、少なくともひとつの機能をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の少なくとも一部をプログラムとして容易に実現することができる。また記録媒体に記録あるいは、通信回線を用いてプログラム配信することにより、プログラム配布が他の手段に比べて極めて簡単に実現できる。
【００１９】
以下、本発明の実施の形態について、図面を用いて一実施形態について詳細に説明する。なお、この実施の形態によって本発明が限定されるものではない。
【００２０】
（実施の形態１）
図１は本発明の自動販売機の構成一例を示す図である。
【００２１】
自動販売機１には、商品１０ａ、１０ｂに添付された無線ＩＣタグ１１ａ、１１ｂの情報を読み取る読取手段２ａ、２ｂ、全体の制御を行う制御手段３、日時の情報を提供する時計手段４、自動販売機１のさまざまな状態を表示して客に伝える表示手段５ａ、５ｂ、商品１０ａ、１０ｂを格納しておく棚６ａ、６ｂ、機械的な動作をして棚６ａ、６ｂから商品１０ａ、１０ｂを取り出して客に商品を提供する商品提供手段７ａ、７ｂを具備している。なお、商品１０ａ、１０ｂについて、賞味期限は異なるものの、全く同一の商品であると想定している。
【００２２】
棚６ａ、６ｂは電磁波を遮断する材質（例えば金属）で構成されており、図１では便宜上、上段の棚６ａと下段の棚６ｂに分けて記述している。当然ながらこれは一例であってどのような配置で棚を分けても構わないが、それぞれの棚同士を電磁波遮断物質で構成して、お互いが電磁的に孤立していることが望ましい。
【００２３】
図１においても、上段の棚６ａと下段の棚６ｂを仕切る材質は電磁波を遮断する材質で構成されており、上段の棚６ａと下段の棚６ｂは、それぞれ電磁的に仕切られており、それぞれの棚に読取手段２ａ、２ｂが取り付けられている。
【００２４】
このように読取手段２ａ、２ｂは電磁的には完全に孤立しているので、お互い干渉することもなく、それぞれの棚に存在する商品１０ａ、１０ｂに添付された無線ＩＣタグ１１ａ、１１ｂを読取手段２ａ、２ｂが、それぞれ別個に読み出すことが出来る。すなわち、図において商品１０ａに添付された無線ＩＣタグ１１ａは読取手段２ａだけによって読み取られ、読取手段２ｂから読み取られることはない。逆に商品１０ｂに添付された無線ＩＣタグ１１ｂは読取手段２ｂだけによって読み取られ、読取手段２ａから読み取られることはない。
【００２５】
読取手段２ａ、２ｂによって読み取られた無線ＩＣタグ１１ａ、１１ｂの情報には、無線ＩＣタグ１１ａ、１１ｂが添付された商品１０ａ、１０ｂそれぞれの賞味期限に関する情報を含んでいる。すなわち、読取手段２ａによって読み取られた無線ＩＣタグ１１ａの情報には、無線ＩＣタグ１１ａが添付された商品１０ａの賞味期限に関する情報を含んでおり、読取手段２ｂによって読み取られた無線ＩＣタグ１１ｂの情報には、無線ＩＣタグ１１ｂが添付された商品１０ｂの賞味期限に関する情報を含んでいる。
【００２６】
なお、賞味期限に関する情報として、賞味期限の日時情報でも構わないし、また、生産製造の日時情報と賞味期間の情報の組み合わせであってもよい。
【００２７】
一方、制御手段３は読取手段２ａと読取手段２ｂを区別するために、制御手段３には複数の入力インターフェイスを設けて、それぞれの入力インターフェイスから個別に読取手段２ａ、または読取手段２ｂの情報を受け取るようにした。
【００２８】
このようにして制御手段３は、どの情報がどちらの読取手段２ａ、あるいは２ｂから届いたものかどうかを判定することが出来る。
【００２９】
上段の棚６ａについて動作を以下に述べる。制御手段３は読取手段２ａから商品１０ａに添付された無線ＩＣタグ１１ａの情報を受け取る。この情報には賞味期限に関する情報が含まれており、時計手段４から得られた日時の関する情報と比較し、読取手段２ａが設置されている棚の商品の賞味期限が何日、あるいは何時間残っているかどうかを算定する。
【００３０】
同様に、下段の棚６ｂについて動作を以下に述べる。制御手段３は読取手段２ｂから商品１０ｂに添付された無線ＩＣタグ１１ｂの情報を受け取る。この情報には賞味期限に関する情報が含まれており、時計手段４から得られた日時の関する情報と比較し、読取手段２ｂが設置されている棚の商品の賞味期限が何日、あるいは何時間残っているかどうかを算定する。
【００３１】
他の棚にも同じ商品がある場合には、その棚についても同様に賞味期限の残りを算定する。
【００３２】
制御手段３は、上記の結果を比較して、同一商品のうちで賞味期限の残りが少ない、つまり最も賞味期限が迫っている商品が配置された棚の商品から順に販売することとして、この商品を販売最優先候補としておき、販売時には、その商品を優先して販売するようにする。
【００３３】
その商品を販売した後には、その次に賞味期限が迫っている商品を最優先候補として、以下商品がなくなるまで繰り返す。商品の賞味期限の検知は、例えば棚に商品を並べるときに行って、どの順番に販売するかということを決めておいても構わないし、商品が売れるたびに、無線ＩＣタグの読み出しから行って順番を求めても構わない。
【００３４】
さらに、例えば制御手段３が商品１０ａの賞味期限が切れていると判断した場合、商品提供手段７ａを制御して、商品１０ａの販売を中止すると共に、表示手段５ａより販売できないことを客などに対して表示することも有用である。
【００３５】
また、賞味期限が切れている場合に限らず、非常に迫っている（例えば明日で期限切れになる）場合にも、「賞味期限が迫っています」という注意・確認情報を表示手段５ａから報知するようにしても構わない。また、例えば同時に警報音を出しても構わない。あるいはまた、賞味期限の残りを算出して価格を調整（値引き）して販売することも可能である。
【００３６】
さらに、あってはならないことであるが人為的なミスにより、例えば商品を補充しようとした時に、補充しようとする商品に添付された無線ＩＣタグから得られた賞味期限に関する情報が、既に期限切れであった場合には、「商品の期限が切れています」という注意・確認情報を表示手段５ａから報知するようにしても構わない。また、例えば同時に警報音を出しても構わないし、その商品を販売中止しても構わない。
【００３７】
棚６ａと棚６ｂは別々に動作させることを想定しており、賞味期限が切れた商品の配置された棚だけを販売中止にさせるようにしてもかまわないが、必ずしもこれに限定する理由はなく、棚６ａで賞味期限切れが見つかった場合は、腐敗して他の食品にも悪影響があるかもしれないという理由で、自動販売機１のすべての棚、あるいは隣り合う棚だけ販売中止する、あるいは付近の棚だけについて販売中止としても構わない。
【００３８】
読取手段２ａ、２ｂによって読み取られた無線ＩＣタグの情報には、商品の賞味期限を含んでおらず、単なるＩＤのようなコード番号だけを含んでいる場合には、そのＩＤを元に商品の賞味期限を取得する必要がある。すなわち、コード番号を元に制御手段３がネットワーク２０を経由して、ネットワーク２０に接続されている情報サーバ３０にアクセスして、ＩＤに相当する商品の賞味期限に関する情報を取得する。この結果、上記と同様の動作を行うことになる。
【００３９】
ここで述べているネットワーク２０はインターネットであって情報サーバ３０は外部にあっても構わないし、自動販売機の設置されている場所や店内にあっても構わない。さらにネットワーク２０は店舗内ＬＡＮであって情報サーバ３０も店舗内にあっても構わないし、ネットワーク２０を含めたすべてが自動販売機１に存在して自動販売機だけで閉じていても、もちろん構わないし、ネットワーク２０がＰＨＳ、電話交換網を用いたものでも構わない。
【００４０】
現時点で市販されている無線ＩＣタグ１１ａ、１１ｂ、および読取手段２ａ、２ｂには数メートル以上の距離まで対応した遠距離タイプと、数センチ〜１０数センチ程度の距離にしか対応していない近接型が存在する。特に近接型を用いた場合には、棚６ａ、６ｂの一部に開口部があっても、そこから漏れ出した電磁波は隣の棚にまで達することがないように設置することが可能になり、特別な電磁波もれ対策をしなくても棚同士を電磁的に遮断できるので、近接型を用いることは好ましい。この場合には、必ずしも電磁波遮断物質で構成された棚を用いる必要はなくなる。
【００４１】
なお、遠距離タイプを用いた場合は、隣の棚はもちろんのこと、商品１０ａ、１０ｂ以外のものに添付された、例えば作業者のポケット内にあるタバコなど関係のない無線ＩＣタグの情報を読み取ってしまうことが想定されるので、こういったタイプは本用途には必ずしも向いているとは言えない。ただし、この場合でも、近接する棚にまでは電磁波が届かないように電磁波強度を落としたり、アンテナサイズを変えたりして感度を調整して、関係のない無線ＩＣタグを読み取らないようにしても構わない。
【００４２】
また、読み出しの方法としては、商品１０ａ、１０ｂが棚にセットされている場合に、定期的に、自動販売機１に具備された読取手段２で順に、あるいは一括で無線ＩＣタグ１１ａ、１１ｂの情報を読み取る（読み出しは、例えば自動販売機が操作された時、あるいは品物を補充しようとした時などにも行っても構わない）。
【００４３】
一括で読み取れるのはすべての無線ＩＣタグ１１ａ、１１ｂ、および読取手段２ａ、２ｂが衝突検出に対応している場合であり、セットした商品を一括読み出しして、賞味期限を確認できるので本用途には最適である。
【００４４】
衝突検出に対応していない場合は、商品を１つごとに自動販売機１に具備された読取手段２ａ、２ｂに読ませる必要があるが、こういった衝突検出に対応していない無線ＩＣタグは本用途に必ずしも適しているとはいえない。
【００４５】
また、以上に加えて自動販売機１は賞味期限が切れた商品を検知した場合、販売を中止していることを表示手段５ａ、５ｂにて表示し、商品提供手段７を停止して商品の販売を中止にすることができるが、さらに制御手段３は予め設定されているネットワーク２０上の販売管理端末４０に対して、賞味期限切れ生じて販売中止しているという情報を伝えることも出来る。
【００４６】
あるいは上記とは逆に、販売管理端末４０から定期的に自動販売機１の制御手段３に接続して、自動販売機１の状態を取得するという方式でも構わない。また、情報サーバ３０がインターネット、販売管理端末４０は電話交換網に接続されていても構わない。
【００４７】
このようにして、この販売管理端末４０を通じて、管理者が常時または定期的に、遠隔地から自動販売機の状態を確認して、賞味期限切れで販売を中止していることを知り、商品入れ替えなどの対応することになる。
【００４８】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【００４９】
なお、本実施の形態では賞味期限の近い商品から順に販売する例で説明したが、製造日時の早い商品から順に販売するようにしてもよい。
【産業上の利用可能性】
【００５０】
以上のように、本発明にかかる自動販売機および、そのプログラムは、商品を配置する棚と、前記棚ごとに設置されて、商品に添付された無線ＩＣタグの情報を読み取る読取手段と、前記読取手段から情報を受け解析および制御を行う制御手段と、商品を客に提供する商品提供手段と、日時を発生する時計手段を具備し、前記制御手段は前記無線ＩＣタグの情報に含まれた前記商品の賞味期限に関する情報と前記時計手段から取得した日時を比較し、同一商品の中から賞味期限が最も近い商品から順に前記商品提供手段にて販売していくようにした。
【図面の簡単な説明】
【００５１】
【図１】本発明の自動販売機の構成一例を示す図
【符号の説明】
【００５２】
１  自動販売機
２ａ、２ｂ  読取手段
３  制御手段
４  時計手段
５ａ、５ｂ  表示手段
６ａ、６ｂ  棚
７ａ、７ｂ  商品提供手段
１０ａ、１０ｂ  商品
１１ａ、１１ｂ  無線ＩＣタグ
２０  ネットワーク
３０  情報サーバ
４０  販売管理端末
【図１】
2006221223.tif 000003